(57)【特許請求の範囲】
【請求項１】
容器口部の先端部分に当接して該先端部分の開口を覆う天板部及びこの天板部から垂下し前記容器口部に緊密に内嵌される略筒状の中足を有し、前記天板部の外周縁に、下方へ湾曲し、その内周面が前記容器口部の外側コーナー部分に密接可能な略環状の湾曲部が連設され、容器外圧よりも高い容器内圧によって前記容器口部から前記中足が抜ける方向に力を受けるパッキンと、
天壁及びこの天壁の外周部から垂下するスカート壁を有し、前記容器口部の外周に形成された雄ねじに螺合する雌ねじが前記スカート壁に形成され、前記パッキンを覆う状態で前記容器口部に螺着するキャップ本体とを備え、
前記キャップ本体の内面に、パッキンの前記湾曲部の外周面における第一環状帯域及びこの第一環状帯域よりも外側かつ下側に位置する第二環状帯域をそれぞれ押圧付勢する略環状の押圧付勢部が形成され、容器口部の前記外側コーナー部分に対して外側かつ上側に位置する前記第一環状帯域は、前記押圧付勢部によって前記外側コーナー部分に向けて押圧付勢され、前記外側コーナー部分に対して外側かつ下側に位置する前記第二環状帯域は、前記押圧付勢部によって前記外側コーナー部分の下側に対して内側に向けて押圧付勢されるように構成され、
前記押圧付勢部が、前記第一環状帯域を押圧付勢する第一環状段部と、前記第二環状帯域を押圧付勢する第二環状段部とを有している発音用キャップ。
【請求項２】
前記パッキンは、スチレン系熱可塑性エラストマーよりなる請求項１に記載の発音用キャップ。
【請求項３】
前記容器口部の前記雄ねじの一部に前記キャップ本体の前記雌ねじの一部が螺合している状態では、前記キャップ本体に前記パッキンが当接して前記中足が該容器口部に緊密に内嵌されている密閉状態が保たれ、前記螺合が完全に外れた後に、前記密閉状態が解除されるように構成されている請求項１または２に記載の発音用キャップ。
【請求項４】
前記スカート壁の下部にタンパーエビデンスバンドが連結され、
前記タンパーエビデンスバンドの下部を構成する略リング状の下バンド部分に、内向き上方に向かって延び、前記容器口部における前記雄ねじの下側に設けられたストッパに係止する係止片が連設され、
前記タンパーエビデンスバンドは、前記スカート壁の下端と前記下バンド部分の上端とに、それぞれ破断されない連結部分及び破断可能なブリッジを介して連結される略螺旋状に延びる螺旋バンド部分を有し、
前記ブリッジが破断されて前記螺旋バンド部分が前記スカート壁の下端と前記下バンド部分の上端とにそれぞれ前記連結部分のみを介して連結される状態になると、この状態の螺旋バンド部分を介して前記下バンド部分に繋がれた前記スカート壁が、前記容器口部において前記ストッパの下方に設けられた被係止突起に係止可能となるように構成されている請求項１〜３の何れか１項に記載の発音用キャップ。
【請求項５】
請求項１〜４の何れか１項に記載の発音用キャップが口部に装着された容器。
【発明の詳細な説明】
【技術分野】
【０００１】
この発明は、例えば、スパークリングワイン等の炭酸ガスを含む発泡性飲料（アルコールの有無を問わない）の収容に適した容器の口部に対して取り付けられ、開栓音を伴う開栓を行える発音用キャップ及びこのキャップを備えた容器に関する。
【背景技術】
【０００２】
発泡性飲料を収容した容器の口部を閉栓するキャップに関する技術は、従来、種々提案されており、本出願人も、例えば特許文献１乃至３に示すような技術を提案している。
【０００３】
ところで、本発明者らは、鋭意研究の結果、容器口部に緊密に内嵌される略筒状の中足を有するパッキン（中栓）と、パッキンを覆う状態で容器口部に螺着するキャップ本体（外栓）とを備えたキャップについては、パッキンを軟質材で成形すれば、キャップの開栓の際に発せられる開栓音がより大きく良好になるという知見を得た。
【先行技術文献】
【特許文献】
【０００４】
【特許文献１】特開２００１−１９００２号公報
【特許文献２】特開２００２−２９３３５９号公報
【特許文献３】特開２００２−２９３３６０号公報
【発明の概要】
【発明が解決しようとする課題】
【０００５】
しかし、パッキンを軟質材で成形すると、パッキンによって担われるところのシール性（密封性）が低下するという問題がある。
【０００６】
本発明は上述の実情に鑑みてなされたもので、その目的は、シール性を良好に保ちつつ開栓の際の発音性能の向上を図ることができる発音用キャップ及びこのキャップを備えた容器を提供することにある。
【課題を解決するための手段】
【０００７】
上記目的を達成するために、本発明に係る発音用キャップは、
容器口部の先端部分に当接して該先端部分の開口を覆う天板部及びこの天板部から垂下し前記容器口部に緊密に内嵌される略筒状の中足を有し、前記天板部の外周縁に、下方へ湾曲し、その内周面が前記容器口部の外側コーナー部分に密接可能な略環状の湾曲部が連設され、容器外圧よりも高い容器内圧によって前記容器口部から前記中足が抜ける方向に力を受けるパッキンと、
天壁及びこの天壁の外周部から垂下するスカート壁を有し、前記容器口部の外周に形成された雄ねじに螺合する雌ねじが前記スカート壁に形成され、前記パッキンを覆う状態で前記容器口部に螺着するキャップ本体とを備え、
前記キャップ本体の内面に、パッキンの前記湾曲部の外周面における第一環状帯域及びこの第一環状帯域よりも外側かつ下側に位置する第二環状帯域をそれぞれ押圧付勢する略環状の押圧付勢部が形成され、容器口部の前記外側コーナー部分に対して外側かつ上側に位置する前記第一環状帯域は、前記押圧付勢部によって前記外側コーナー部分に向けて押圧付勢され、前記外側コーナー部分に対して外側かつ下側に位置する前記第二環状帯域は、前記押圧付勢部によって前記外側コーナー部分の下側に対して内側に向けて押圧付勢されるように構成され、
前記押圧付勢部が、前記第一環状帯域を押圧付勢する第一環状段部と、前記第二環状帯域を押圧付勢する第二環状段部とを有している（請求項１）。
【０００８】
【０００９】
また、上記発音用キャップにおいて、前記パッキンは、スチレン系熱可塑性エラストマーよりなることが好ましい（請求項２）。
【００１０】
また、上記発音用キャップが、前記容器口部の前記雄ねじの一部に前記キャップ本体の前記雌ねじの一部が螺合している状態では、前記キャップ本体に前記パッキンが当接して前記中足が該容器口部に緊密に内嵌されている密閉状態が保たれ、前記螺合が完全に外れた後に、前記密閉状態が解除されるように構成されていてもよい（請求項３）。
【００１１】
また、上記発音用キャップにおいて、前記スカート壁の下部にタンパーエビデンスバンドが連結され、
前記タンパーエビデンスバンドの下部を構成する略リング状の下バンド部分に、内向き上方に向かって延び、前記容器口部における前記雄ねじの下側に設けられたストッパに係止する係止片が連設され、
前記タンパーエビデンスバンドは、前記スカート壁の下端と前記下バンド部分の上端とに、それぞれ破断されない連結部分及び破断可能なブリッジを介して連結される略螺旋状に延びる螺旋バンド部分を有し、
前記ブリッジが破断されて前記螺旋バンド部分が前記スカート壁の下端と前記下バンド部分の上端とにそれぞれ前記連結部分のみを介して連結される状態になると、この状態の螺旋バンド部分を介して前記下バンド部分に繋がれた前記スカート壁が、前記容器口部において前記ストッパの下方に設けられた被係止突起に係止可能となるように構成されていてもよい（請求項４）。
【００１２】
一方、上記目的を達成するために、本発明に係る容器は、請求項１〜４の何れか１項に記載の発音用キャップが口部に装着されている（請求項５）。
【発明の効果】
【００１３】
請求項１〜５に係る発明では、シール性を良好に保ちつつ開栓の際の発音性能の向上を図ることができる発音用キャップ及びこのキャップを備えた容器が得られる。
【００１４】
すなわち、請求項１に係る発明では、パッキンを軟質材で成形し、開栓の際の発音性能の向上を図った場合でも、キャップ本体の押圧付勢部によって、パッキンの湾曲部の第一環状帯域と第二環状帯域とが互いに異なる方向に押圧付勢を受け、弾性変形して容器口部の外側コーナー部分及びその下側に押し付けられ、容器口部に対してパッキンが二箇所で強力に密着することになるので、良好な密封性が保たれることになる。
【００１５】
請求項２に係る発明では、パッキンが軟質性を有することになり、開栓の際の発音性能の向上を確実に図ることができる。
【００１６】
請求項３に係る発明では、キャップ本体と容器口部との螺合が完全に外れる前に、容器内圧によってパッキンが容器口部から外れることが無いので、常に大きくて良好な開栓音を生じさせることができる。
【００１７】
請求項４に係る発明では、スカート壁（キャップ本体）を被係止突起に係止固定すれば、容器の内容液を容器口部から注ぎ出す際にキャップ本体が邪魔にならず、内容液の注ぎ出しが行い易くなる。
【００１８】
請求項５に係る発明では、上記種々の効果を奏する容器が得られる。
【図面の簡単な説明】
【００１９】
【図１】本発明の一実施の形態に係る発音用キャップを備えた容器の要部の内部構成を概略的に示す縦断面図である。
【図２】前記容器の要部の内部構成を拡大して概略的に示す半縦断面図である。
【図３】前記容器の要部の構成を概略的に示す正面図である。
【図４】開栓した状態の前記容器の要部の構成を概略的に示す正面図である。
【図５】開栓後にキャップ本体を退避位置に固定した状態の前記容器の要部の構成を概略的に示す正面図である。
【発明を実施するための形態】
【００２０】
以下、本発明の実施の形態について図面を参照しながら説明する。ここで、図１は本発明の一実施の形態に係る発音用キャップ１を備えた容器２の要部の内部構成を概略的に示す縦断面図、図２は前記容器２の要部の内部構成を拡大して概略的に示す半縦断面図（略左右対称となる縦断面の左半分を示す図）であるが、図１及び図２においてパッキン４を二点鎖線で示してあるのは、実際のパッキン４はキャップ本体５や容器口部３との接触によって変形するが、このような変形をしていない自然状態にあるパッキン４を図１及び図２において示しているためである。
【００２１】
この実施の形態に係る発音用キャップ（以下、「キャップ」と略記する）１は、図１及び図３に示すように、キャップ１とは別に製造される容器（例えばガラス瓶、ペットボトル等のプラスチック容器）２の口部３に装着されるものであり、インジェクション成形またはコンプレッション成形により成形してある。また、キャップ１は、未開封（開栓が一度もされていないこと）を証明する機能を有するピルファープルーフキャップである。
【００２２】
一方、容器２内に収容する内容物は、スパークリングワイン（アルコールの有無を問わない）である。尚、内容物はスパークリングワインに限らず、他の発泡性飲料であってもよい。
【００２３】
そして、図１に示すように、キャップ１は、容器口部３を密閉するパッキン４と、パッキン４を覆う状態で容器口部３に螺着するキャップ本体５とを備えている。
【００２４】
パッキン４は、容器口部３の先端部分に当接して該先端部分の開口を覆う略円板状の天板部６と、この天板部６の外周部から垂下し容器口部３に緊密に内嵌される略筒状（略円筒状）の中足７とを同心状に有している。また、天板部６の外周縁には、下方へ湾曲し、その内周面が容器口部３の外側コーナー部分３ａに密接可能な略環状の湾曲部８が連設されている。
【００２５】
一方、キャップ本体５は、平面視において略円形状の天壁９と、この天壁９の外周部から垂下するスカート壁１０を有している。ここで、スカート壁１０の外周面にはローレット溝１１を、内周面には雌ねじ１２を設けてあり、この雌ねじ１２は容器口部３の外周に形成された雄ねじ１３に螺合する。
【００２６】
また、スカート壁１０の下部には、図１及び図３に示すように、タンパーエビデンスバンド（以下、単に「バンド」という）１４を連結してある。そして、このバンド１４の下部を構成する略リング状の下バンド部分１５の内側には、図１に示すように、内向き上方に向かって延びる複数の係止片（フラップ）１６を連設してある。
【００２７】
これに対して、容器口部３における雄ねじ１３の下側には、図１に示すように、容器口部３に対するキャップ１の装着時にバンド１４の下バンド部分１５が乗り越え、かつその後は下バンド部分１５の係止片１６が係止して下バンド部分１５の抜けを防止するストッパ１７と、このストッパ１７の下方に位置し、ストッパ１７を乗り越えた下バンド部分１５をストッパ１７とで保持するフランジ（ビード部）１８とを設けてある。
【００２８】
本実施形態では、容器口部３に対してキャップ１を装着するために、キャップ本体５の雌ねじ１２を容器口部３の雄ねじ１３に螺合させた上で、キャップ本体５に閉栓（締め込み）方向の回転力を加える。この際、キャップ本体５は下向きに螺進し、やがてバンド１４の各係止片１６は、容器口部３の雄ねじ１３の下方のストッパ１７に当接し、ストッパ１７により拡径方向に弾性変形するようにガイドされることによりストッパ１７を乗り越え、その後、係止片１６は初期の状態に弾性復帰する。以上により、キャップ１の装着は完了する。
【００２９】
この装着状態（閉栓状態）においては、図１に示すように、パッキン３の天板部６はキャップ本体５の天壁９に押圧されて容器口部３の先端部分に密着し、パッキン３の中足７は、容器口部３の内周面によって内向きに付勢され、弾性変形して縮径した状態となり、この状態で容器口部３の内周面に密着する（図示していない）。
【００３０】
さらに、閉栓状態において、パッキン３の湾曲部８は、キャップ本体５の内面に形成された略環状の押圧付勢部１９によって押圧付勢され、容器口部３の外側コーナー部分３ａに密着する。
【００３１】
詳述すると、図１及び図２に示すように、押圧付勢部１９は、パッキン５の湾曲部８の外周面における第一環状帯域８ａを押圧付勢する第一環状段部１９ａと、第一環状帯域８ａよりも外側かつ下側に位置する第二環状帯域８ｂを押圧付勢する第二環状段部１９ｂとを有している。そして、閉栓状態において容器口部３の外側コーナー部分３ａに対して外側かつ上側に位置する第一環状帯域８ａは、押圧付勢部１９（第一環状段部１９ａ）によって外側コーナー部分３ａに向けて（内向きかつ下向きに）押圧付勢され、閉栓状態において外側コーナー部分３ａに対して外側かつ下側に位置する第二環状帯域８ｂは、押圧付勢部１９（第二環状段部１９ｂ）によって内側に向けて押圧付勢される。
【００３２】
上述のようにして容器口部３に装着したキャップ１のキャップ本体５に対して開栓方向の回転力を加えると、キャップ本体５は容器口部３に沿って上昇し、容器外圧よりも高い容器内圧によって容器口部３から中足７が抜ける方向に力を受けているパッキン４は、この容器内圧により、キャップ本体５の天壁９の下面に押し付けられた状態で上昇する。
【００３３】
そして、キャップ本体５が容器口部３に沿って上昇していくと、やがてスカート壁１０が容器口部３から螺脱することになるが、本実施形態では、容器口部３の雄ねじ１３（の一部）にキャップ本体５の雌ねじ１２が一部でも螺合している状態では、キャップ本体５にパッキン４が当接して中足７が容器口部３に緊密に内嵌されている密閉状態が保たれ、前記螺合が完全に外れた後に、前記密閉状態が解除されるように構成してある。すなわち、パッキン４の中足７は、キャップ本体５と容器口部３との螺子嵌合が外れる位置においても、容器口部３内に嵌合可能な長さを有している。
【００３４】
ここで、前記密閉状態が解除される際に、パッキン４は上方に飛び出す（所謂栓飛びする）が、このパッキン４を受け止めたキャップ本体５がパッキン４と共に外部に飛び出すことは、バンド１４によって防止される。
【００３５】
すなわち、図３に示すように、バンド１４は、スカート壁１０の下端と下バンド部分１５の上端とに、それぞれ破断されない連結部分２０及び連結部分２０よりも連結幅が小さく破断可能なブリッジ２１を介して連結される略螺旋状に延びる螺旋バンド部分２２を有している。そして、開栓方向の回転力によってキャップ本体５が容器口部３に沿って上昇するのに伴ってブリッジ２１が破断されていくが、このとき、容器口部３のストッパ１７に係止する係止片１６を有する下バンド部分１５は容器口部３に残留する。
【００３６】
一方、ブリッジ２１は上述のように破断されるのに対して、螺旋バンド部分２２をスカート壁１０の下端と下バンド部分１５の上端とにそれぞれ連結する連結部分２０は破断しない。従って、前記密閉状態が解除される際に、キャップ本体５のスカート壁１０は螺旋バンド部分２２を介して下バンド部分１５に繋がっているので（図４参照）、キャップ本体５の外部への飛び出しは防止され、このキャップ本体５に受け止められるパッキン４の飛び出しも防止されることになる。
【００３７】
また、本実施形態では、パッキン４が飛び出す際の衝撃によって連結部分２０が切断されてしまうことをより確実に防止するために、螺旋バンド部分２２に設けた複数のブリッジ２１のうち、上下の連結部分２０にそれぞれ最も近い一つあるいは複数（本実施形態では二つ）のブリッジ２１を、他のブリッジ２１よりも連結幅の大きい補強ブリッジ２１Ａとしてある（図３参照）。そして、前記密閉状態が解除される際に、他のブリッジ（小ブリッジ）２１よりも切れ難い補強ブリッジ２１Ａは破断せずに残り、さらに一部の小ブリッジ２１も破断せずに残るようにしてあるので、パッキン４が飛び出す際には、まず破断せずに残っている一部の小ブリッジ２１が破断した後、補強ブリッジ２１Ａが破断することになる。従って、飛び出す際のパッキン４が有する運動エネルギーの大部分は小ブリッジ２１及び補強ブリッジ２１Ａを破断するためのエネルギーに変換されるので、パッキン４が飛び出す際に連結部分２０に作用する力は小さくなり、それだけ連結部分２０の切断がより確実に防止されることになる。
【００３８】
また、図３〜図５に示すように、各ブリッジ２１（補強ブリッジ２１Ａも含む）の間には、保護スペーサ２３を設けてあり、キャップ本体５にこれを上下方向に押し縮めようとする力が加わった場合でも、保護スペーサ２３の存在によって、螺旋バンド部分２２とスカート壁１０の下端との間、また、螺旋バンド部分２２と下バンド部分１５の上端との間は一定以上には狭まらず、これにより、各ブリッジ２１が破断されてしまうこともない。
【００３９】
ここで、前記密閉状態が解除される際に大きくて良好な開栓音が発せられるように、本実施形態では、パッキン４を軟質材により成形する。具体的には、パッキン４を、ＪＩＳ  Ｋ６２５３によるデュロ硬度Ａが５０〜７０であるスチレン系熱可塑性エラストマーより成形することが考えられる。
【００４０】
尚、上記の構成を有するパッキン４に対して、キャップ本体５としては、例えば、ポリプロピレン樹脂等の比較的硬質の樹脂を用いてインジェクション成形によって形成されるものを用いることができる。
【００４１】
本実施形態では、開栓後に全てのブリッジ２１（補強ブリッジ２１Ａも含む）が切断され、螺旋バンド部分２２がスカート壁１０の下端と下バンド部分１５の上端とにそれぞれ連結部分２０のみを介して連結される状態になると、この状態の螺旋バンド部分２２を介して下バンド部分１５に繋がれたスカート壁１０（キャップ本体５）が、容器口部３においてストッパ１７の下方に設けられた被係止突起（本実施形態ではフランジ１８）に係止可能となるように構成されている（図５参照）。そして、図５に示すように、キャップ本体５をフランジ１８に係止固定すれば、容器２の内容液を容器口部３から注ぎ出す際にキャップ本体５が邪魔にならず、内溶液の注ぎ出しが行い易くなる。
【００４２】
上記の構成からなるキャップ１及び容器２では、発泡性飲料である内容液によって容器内圧が高くなり、この内圧によりパッキン４及びキャップ本体５はドーミングを起こし、特に軟質材からなるパッキン４のドーミング量は大きくなるが、パッキン４の中足７によるシールに加えて、キャップ本体５の押圧付勢部１９ａ，１９ｂがパッキン４の湾曲部８の二箇所８ａ，８ｂを互いに異なる方向へ押圧し、湾曲部８が容器口部３の外側コーナー部分３ａにしっかりと密着する構成により、密封性が大いに向上し、漏れが生じることは無い。
【００４３】
また、上記キャップ１及び容器２では、キャップ本体５と容器口部３との螺合が完全に外れた瞬間にはパッキン４の中足７が容器口部３内に嵌合しているように中足７を長くしてあると共に、パッキン４を軟質材で成形したことにより、キャップ本体５と容器口部３との螺合が完全に外れた直後に、容器内圧によってパッキン４は容器口部３から勢い良く外れ、大きくて良好な「ポン」という開栓音が生じることになる。
【００４４】
ここで、本実施形態の中足７には、図１及び図２に示すように、外方に膨出する三つの膨出部分７ａ，７ｂ，７ｃを設けてあり、中足７のこのような形状も、上記開栓音の向上に寄与している。
【００４５】
さらに、例えば湾曲部８を雌ねじ１２に係止させてパッキン４をキャップ本体５内に装着した状態としたキャップ１を流通させる場合に、パッキン４の中足７がキャップ本体５のバンド１４よりも下方に突出しないので、流通段階でパッキン４の中足７が傷つき、ひいてはこの傷によってシール性が損なわれてしまうことが確実に防止される。
【００４６】
なお、本発明は、上記の実施の形態に何ら限定されず、本発明の要旨を逸脱しない範囲において種々に変形して実施し得ることは勿論である。例えば、以下のような変形例を挙げることができる。
【００４７】
湾曲部８は、押圧付勢部１９に押圧付勢されていない状態では容器口部３の外側コーナー部分３ａに沿わない形状であってもよい。
【００４８】
上記実施の形態では、補強ブリッジ２１Ａの太さ（連結幅）を他のブリッジ２１よりも大きくしているが、補強ブリッジ２１Ａは他のブリッジ２１よりも破断し難くければよいのであって、例えば、全てのブリッジ２１（補強ブリッジ２１Ａも含む）の太さを同じとし、他のブリッジ２１のみに切れ目等の切れ易くなる構造を設けてあってもよい。
【００４９】
螺旋バンド部分２２は、１本に限らず複数本とすることもでき、また、図３及び図４に示すように、本実施形態の螺旋バンド部分２２は容器口部３の外周を略１周する長さとしてあるが、これより長くしてもよく、このように螺旋バンド部分２２が容器口部３の外周を１周する以上の長さとすると、螺旋状に延びる螺旋バンド部分２２において互いに上下に隣接する部分が生じるが、この部分は、例えば破断可能なブリッジ２１のみで連結されるように構成すればよい。
【００５０】
そして、本実施形態の説明中や説明後に述べた変形例どうしを適宜組み合わせてもよいことはいうまでもない。
【符号の説明】
【００５１】
１    キャップ
２    容器
３    容器口部
４    パッキン
５    キャップ本体
６    天板部
７    中足
８    湾曲部
８ａ  第一環状帯域
８ｂ  第二環状帯域
９    天壁
１０    スカート壁
１２    雌ねじ
１３    雄ねじ
１９    押圧付勢部
【図１】
0005519399.tif 000002
【図２】
0005519399.tif 000003
【図３】
0005519399.tif 000004
【図４】
0005519399.tif 000005
【図５】
0005519399.tif 000006